(57)【要約】【課題】      複合機へログインしたユーザの、ログアウトし忘れを防止する。【解決手段】  ユーザによるジョブの登録時に、ログアウト処理の予約を行わせ、指定されたジョブの終了時にログアウトを行う。【選択図】    図４
2007228209.tif 000002
【特許請求の範囲】
【請求項１】
コピー機能と原稿データの送受信機能とを備え、ユーザのログインを要求する複合機において、
ユーザのログアウトの予約を受け付けるための受付手段と、
前記ログアウト予約を受付けると、前記ユーザのジョブ終了後にログアウトするためのログアウト手段とを設けたことを特徴とする、複合機。
【請求項２】
前記受付手段は、ログアウト予約をユーザからのジョブ要求時に受付けることを特徴とする、請求項１の複合機。
【請求項３】
前記受付手段は、ログアウト予約をユーザのジョブ処理中に受付けることを特徴とする、請求項１の複合機。
【請求項４】
コピー機能と原稿データの送受信機能とを備え、ユーザのログインを要求する複合機のプログラムにおいて、
ユーザのログアウトの予約を受付けるための受付命令と、
前記ログアウト予約を受付けると、前記ユーザのジョブ終了後にログアウトするためのログアウト命令とを設けたことを特徴とする、複合機のプログラム。
【発明の詳細な説明】
【技術分野】
【０００１】
この発明は複合機に関し、特にユーザのログアウト処理のタイミングに関する。
【背景技術】
【０００２】
使用時にユーザにログイン操作を行わせ、ログインしたユーザに使用を許可する複合機では、複数のユーザが同時にログインした場合は、これらユーザが交互に各自のジョブを実行する。そして各ユーザは作業終了後に、ログアウトのためのボタンを押下するなどの操作を行ってログアウトする。あるいは所定時間経過しても操作のないユーザに対し、強制的にログアウト処理を行っている。
【０００３】
ユーザはログアウト処理を忘れることがあり、特にジョブ登録して処理が行われるまでの待ち時間が長い場合や、コピー枚数１００枚などと処理自体に時間がかかる場合などにログイン状態のままで放置され、他のユーザに無断で使用される恐れがある。また所定時間後に強制的にログアウト処理を行うこととすると、ユーザが使用中にログアウトされることがあり、強制的ログアウトのための時間設定が難しい。
【発明の開示】
【発明が解決しようとする課題】
【０００４】
この発明の課題は、指定ジョブの終了後にログアウト処理を行うことをユーザが予め設定することで、ログインした複合機でのログアウト忘れを防止することにある（請求項１〜４）。
【課題を解決するための手段】
【０００５】
この発明は、コピー機能と原稿データの送受信機能とを備え、ユーザのログインを要求する複合機において、ユーザのログアウトの予約を受け付けるための受付手段と、前記ログアウト予約を受付けると、前記ユーザのジョブ終了後にログアウトするためのログアウト手段とを設けたことを特徴とする。
【０００６】
好ましくは、前記受付手段は、ログアウト予約をユーザからのジョブ要求時に受付ける。また好ましくは、前記受付手段は、ログアウト予約をユーザのジョブ処理中に受付ける。さらに好ましくは、
【０００７】
またこの発明は、コピー機能と原稿データの送受信機能とを備え、ユーザのログインを要求する複合機のプログラムにおいて、ユーザのログアウトの予約を受付けるための受付命令と、前記ログアウト予約を受付けると、前記ユーザのジョブ終了後にログアウトするためのログアウト命令とを設けたことを特徴とする。
【発明の効果】
【０００８】
この発明では、ログインしたユーザが予めログアウトの予約を行うことができるので、複合機はユーザ毎のジョブ終了後にログアウトして、ログアウト処理が忘れられてログイン状態の複合機が放置されることが無い。そのためログイン認証に失敗したユーザなどに無断で使用される恐れがない（請求項１〜４）。
【０００９】
請求項２の発明では、ログアウト予約はユーザのジョブ登録時に確実にできるので、ユーザは確実にログアウトを行うことができる。
また請求項３の発明では、ジョブ処理中であっても随時ログアウトの予約ができるので、ジョブ登録時にログアウト予約をしない場合でも、ジョブ処理中にログアウト予約をしてジョブ終了後のログアウトを確実に行うことができる。
【発明を実施するための最良の形態】
【００１０】
以下に本発明を実施するための最適実施例を示す。
【実施例】
【００１１】
図１〜図４に、実施例を示す。図において、２は複合機で、４は主制御としてのＣＰＵで、６は公衆電話網に対して呼を確立するための網制御装置（ＮＣＵ）で、８は公衆電話回線を介してＧ３ファクシミリデータ等を送受信するためのモデムである。また複合機２は、ＬＡＮインターフェース１０で、ＬＡＮ１２を介し管理者のパーソナルコンピュータ１４やユーザのパーソナルコンピュータ１５等に接続されている。
【００１２】
１６はコピー機能処理部で、１８はスキャナ機能処理部で、スキャナで画像を読み取りパーソナルコンピュータなどに画像データを送信するなどの処理を行う。２０はプリンタ機能処理部で、プリンタにネットワークプリンタ機能を持たせて、ＬＡＮ１２内のパーソナルコンピュータ１４，１５などからの依頼に応じてネットワークプリンタとしてのプリント等を行う。また２２はＧ３ファクシミリ機能処理部で、画像データなどを公衆電話回線を用いてファクシミリ送信／受信を行う。２４はネットワーク通信部で、電子メールなどの送受信を行う。なお２６は、インターネット網である。
【００１３】
２８はＬＣＤなどの表示パネル、３０は操作部で、ＬＣＤ表示パネルのタッチパネルやキーボード等を用い、複合機へのログインやログアウト予約の処理を行ったり、プリントアウトやＧ３ファクシミリなどのジョブの指定や、処理対象の文書の選択や、送信処理時の送信先ファクシミリ番号、メールアドレス等の設定条件の入力などを行う。
【００１４】
３２はログイン/ログアウト処理部で、ユーザの複合機２へのログイン処理を行うログイン処理部３４と、ユーザによるログアウトの予約を受け付けるログアウト設定受付部３４と、ユーザの指示するジョブを受け付けるジョブ登録部３８と、ユーザに指示されたジョブ終了時にログアウト処理を行うログアウト処理部４０とを備える。なお４２は、ユーザが所定時間経過後にタイムアウト処理を行うことを指示した場合などのためのタイマである。また４３はプログラム等を記憶するためのＲＯＭ、４４はユーザ毎に指定されたジョブ設定情報やログアウト予約などの各種データ等を記憶するためのＲＡＭである。４５はログアウトの予約を受付け、ログアウト処理を行うための、ログアウト予約プログラムで、記憶装置に記憶する。
【００１５】
図２は、実施例のログアウト予約プログラム４５の構成を示すブロック図である。実施例のプログラム４５には、ユーザのログイン処理を行うためのログイン処理命令４６と、ユーザによるログアウト処理の予約を受付けるためのログアウト設定受付命令４７と、ユーザの指定したジョブをログアウト予約の有無と共に登録するためのジョブ登録命令４８と、ログアウト予約されたジョブの終了後にログアウト処理を行うためのログアウト処理命令４９とを設ける。
【００１６】
図３に、実施例の複合機でのログアウト予約を行う際のＬＣＤ２８の表示画面を示す。表示画面は、パーソナルコンピュータ１４や１５などのＷｅｂ画面であっても良い。図３(Ａ)〜(Ｃ)は、ジョブ登録時のログアウト予約画面を示し、図３(Ｄ)はジョブ実行時のログアウト予約画面を示す。表示画面５０では、ジョブ登録時にユーザに対しジョブ終了後のログアウトを行うかを問い合わせ、ユーザがＹｅｓボタン５２を押下することでログアウト予約されたジョブ処理を開始する。図３(Ｂ)に示す表示画面５４では、ユーザがジョブの登録を行い、スタートボタン５６の押下で次に表示される表示画面５８で、ジョブ終了後にログアウトするか否かの選択を行わせる。
【００１７】
また図３(Ｃ)の表示画面６０では、ログアウト指定するジョブのスタートボタン６２と、ログアウト指定しないジョブのスタートボタン６４とを設け、ユーザがログアウト指定するジョブのスタートボタン６２を押下すると、ログアウト予約を登録し、指定したジョブ処理を開始する。
【００１８】
図３(Ｄ)の表示画面６６では、ジョブ要求後にログアウト予約を行わせる。ユーザがジョブ登録時にログアウト予約を行わなかった場合に、ログアウトボタン６８を表示し、ジョブ登録後でもログアウト予約をできるようにする。
【００１９】
なお図３で説明したジョブ終了後のログアウト予約の他、ログアウトする時間の設定をユーザに行わせても良い。例えばログアウトタイムとして、○分経過後や、○時×分などとユーザに入力させ、タイマ４２で設定された時刻を検出し、自動的に、あるいはユーザへの確認を行った後に、ログアウト処理を行う。ユーザは処理に要するおおよその時間が予め分かっていれば、ジョブ登録時にログアウトの時間設定でログアウト予約を行うことができる。
【００２０】
さらに実施例では、ユーザの指定したジョブ終了後にログアウトするが、例えばスキャンした画像データをインターネットファクシミリ送信する場合などにおいて、スキャン処理終了後にログアウトし、その後に送信処理、とのタイミングで行っても良い。
【００２１】
図４に、実施例の複合機２でログアウト予約を行った場合の処理を示す。まず複合機のログイン画面にユーザが入力したユーザＩＤとパスワードなどでユーザの認証処理を行い、そのユーザのログインを許可する（ステップ１〜４）。ログインを許可されたユーザは、プリントやファクシミリ送信などの所望する処理を指示し、同時にログアウトの予約を行う（ステップ５）。そしてユーザがログアウトの予約をしていれば、ジョブ処理後にログアウト処理を行うための、ログアウト指示有りのジョブ登録を行い（ステップ６，７）、ユーザがログアウトの指示をしていなければ、ログアウト指示無しのジョブ登録を行う（ステップ８）。
【００２２】
指定された処理のジョブが終了すれば（ステップ９）、ログアウト指示があるものについてログアウト処理を行う（ステップ１０，１１）。なおログアウトの指示が無い場合であっても、ユーザが指定した所定時間が経過した場合や、処理終了後に長時間が経過している場合などにログアウト処理を行う（ステップ１２，１１）。
【００２３】
実施例によれば、ログインしたユーザがジョブ登録時に予めログアウトの予約を行うことができるので、複合機はユーザ毎のジョブ終了後にログアウト処理を行うことができる。そのためログアウト処理を忘れログインした状態の複合機を放置して、ログイン権限のないユーザなどに無断で使用されることがない。
【００２４】
ユーザはジョブ登録時にログアウト予約を行って、確実にログアウトを行うことができ、また、ジョブ登録時にログアウト予約をしない場合でもジョブ処理中に随時ログアウトの予約ができる。ログアウト予約は表示画面からユーザに入力させたり、ログアウト付き処理を指定させたりして簡単に行うことができ、しかもユーザはログアウト予約を忘れることがない。
【図面の簡単な説明】
【００２５】
【図１】実施例の複合機の構成を示すブロック図
【図２】実施例でのログアウトの予約を行うプログラムの構成を示すブロック図
【図３】実施例でのログアウト予約を行うための表示画面を示す図
【図４】実施例での、ログアウト予約を行うための処理のアルゴリズムを示すフローチャート
【符号の説明】
【００２６】
２              複合機
４              ＣＰＵ
６              ＮＣＵ（Network Control Unit）
８              モデム
１０            ＬＡＮインターフェース
１２            ＬＡＮ
１４、１５      パーソナルコンピュータ
１６            コピー機能処理
１８            スキャナ機能処理
２０            プリンタ機能処理
２２            Ｇ３ファクシミリ機能処理
２４            ネットワーク通信部
２６            ネットワーク網                                    
２８            ＬＣＤ
３０            操作部
３２            ログイン／ログアウト処理部
３４            ログイン処理部
３６            ログアウト設定受付部
３８            ジョブ登録部
４０            ログアウト処理部
４２            タイマ
４３            ＲＯＭ
４４            ＲＡＭ
４５            ログアウト予約プログラム
【図１】
2007228209.tif 000003
【図２】
2007228209.tif 000004
【図３】
2007228209.tif 000005
【図４】
2007228209.tif 000006